(57)【要約】      （修正有）【課題】手術中に血液等を吸引する負圧吸引瓶装置において、瓶の支持体の自由な組み立て取り外しを可能とし、かつ貯留瓶の安定した固定が可能な支持体構造を提供する。【解決手段】支柱１と、少なくとも一つのラック３と、ストッパーと、脚台６とによって構成する。前記支柱には少なくとも一つの係合溝が設けられ、貯留瓶３４を掛けるに用いる前記ラックの一端には、前記支柱の係合溝と係合される係合部が設けられる。前記ストッパーは前記支柱に設けられ、前記ラックを固定する。前記脚台の一端には、前記支柱の係合溝と係合される結合部が設けられる。【選択図】図８
0003167237.tif 000002
【実用新案登録請求の範囲】
【請求項１】
支柱と、少なくとも一つのラックと、ストッパーと、脚台とによって構成する負圧吸引瓶の調整可能な支持体構造であって、
前記支柱には、少なくとも一つの係合溝が設けられ、
前記ラックの一端には、前記支柱の係合溝と係合される係合部が設けられ、
前記ストッパーは、前記ラックを固定するために、前記支柱に設けられ、
前記脚台の一端には、前記支柱の係合溝と係合される結合部が設けられることを特徴とする、負圧吸引瓶の調整可能な支持体構造。
【請求項２】
前記係合溝は、開口を備える楔形溝であり、前記係合溝と係合される前記結合部は楔形のブロックであることを特徴とする、請求項１に記載の負圧吸引瓶の調整可能な支持体構造。
【請求項３】
前記ラックは、相互に結合されるカップ台座とプラケットと調整部とを有することを特徴とする、請求項１に記載の負圧吸引瓶の調整可能な支持体構造。
【請求項４】
前記調整部は、相互に結合されるガイド溝とガイド孔と螺合部材と固定孔とを備えることを特徴とする、請求項３に記載の負圧吸引瓶の調整可能な支持体構造。
【請求項５】
前記支柱にはトップカバーが設けられ、前記トップカバーは、内蔵固定部材を介して前記支柱に螺合されることを特徴とする、請求項１に記載の負圧吸引瓶の調整可能な支持体構造。
【請求項６】
前記トップカバーは少なくとも一つの係合片を備え、前記係合片は、前記トップカバーと係合されることを特徴とする、請求項５に記載の負圧吸引瓶の調整可能な支持体構造。
【請求項７】
前記脚台の他端にはローラーが設けられることを特徴とする、請求項１に記載の負圧吸引瓶の調整可能な支持体構造。
【請求項８】
前記結合部には少なくとも一つの固定部材が設けられることを特徴とする、請求項１に記載の負圧吸引瓶の調整可能な支持体構造。
【考案の詳細な説明】
【技術分野】
【０００１】
本考案は負圧吸引瓶の支持体構造に関し、特に自由に取り付け取り外しすることができる、負圧吸引瓶の調整可能な支持体構造に関する。
【背景技術】
【０００２】
手術室では、どんな手術を行うにしても、手術中に廃液や血液や薬物などを吸引するために、負圧吸引システムが必要である。従来の負圧吸引装置の支持体は固定式であり、そのラックと支持体の結合方式は螺合か溶接であるため、掛けられる貯留瓶は最高でも四つまでである。しかも体積が相当大きいため、医療スタッフは、手術中に、負圧吸引システムの支持体を何台も携帯したり、或いは負圧吸引システムを全て交換したりしなければならず、かなり不便であり、しかも、体積が大きいため手術室内の場所をとることになる。
【考案の概要】
【考案が解決しようとする課題】
【０００３】
そこで、本考案は、自由に組み立て取り外しが可能な、負圧吸引瓶の調整可能な支持体構造を提供することを目的とする。
【課題を解決するための手段】
【０００４】
上述の目的を達成するために、本考案による負圧吸引瓶の調整可能な支持体構造は、支柱と、少なくとも一つのラックと、ストッパーと、脚台とによって構成する。前記支柱には少なくとも一つの係合溝が設けられ、前記ラックの一端には、前記支柱の係合溝と係合される係合部が設けられる。前記ストッパーは前記支柱に設けられ、前記ラックを固定する。前記脚台の一端には、前記支柱の係合溝と係合される結合部が設けられる。
【考案の効果】
【０００５】
本考案が採用する技術手段を用いると、本考案のラック係合部により、負圧吸引装置の支持体を自由に取り外すことができるため、スペースを大幅に節約することができるとともに、掛けられる貯留瓶の数を増やすことができる。また、前記ラックのプラケットと前記調整部により、留瓶抵を安定して固定することができるため、留瓶抵がゆれなくなる。さらに、貯留瓶のサイズに応じて、前記プラケットを前後に移動させることができ、貯留瓶をしっかり固定することができる。
【図面の簡単な説明】
【０００６】
【図１】本考案の構造を示した分解斜視図である。
【図２】本考案を組み立てた状態を示した斜視図である。
【図３】本考案のラックの構造を示した分解図である。
【図４】本考案のラックの係合部分を示した説明図である。
【図５】本考案のラックに貯留瓶を固定した状態を示した説明図である。
【図６】本考案の脚台の係合と螺合部分を示した説明図である。
【図７】本考案の一部を示した拡大図である。
【図８】本考案の一実施形態を示した斜視図である。
【考案を実施するための形態】
【０００７】
図１から図４を参照する。図１は、考案の構造を示した分解斜視図であり、図２は、本考案を組み立てた状態を示した斜視図であり、図３は、本考案のラックの構造を示した分解図であり、図４は、本考案のラックの係合部分を示した説明図である。図に示すように、本考案は、支柱１と、少なくとも一つのラック３と、ストッパー５と、脚台６とによって構成する。支柱１には、少なくとも一つの係合溝が設けられ、支柱１の頂端にはトップカバー２が連結される。トップカバー２は、内蔵固定部材２２を介して支柱１と螺合される。ラック３の一端には、支柱１の係合溝と係合される係合部４が設けられる。ストッパー５は、支柱１に設けられて、ラック３を固定する。また、図６に示すように、脚台６の一端には、支柱１の係合溝１１と係合される結合部６１が設けられ、結合部６１には固定部材６３が設けられ、脚台６と前記支柱を組み合わせた後に、固定部材６３で螺合することでその連結をさらに安定させ、脚台６は緩んだり外れたりしなくなる。また、脚台６の他端にはローラー６２が設けられる。
【０００８】
図３を参照する。図３は、本考案のラックの構造を示した分解図である。本考案のラック３は、カップ台座３１と、プラケット３２と、調整部３３とによって構成し、それらは順番に結合される。プラケット３２は延伸して凸部３２１を形成し、カップ台座３１には台座溝３１１が設けられ、貯留瓶を掛けるのに用いられる。調整部３３は、ガイド溝３３１と、ガイド孔３３２と、螺合部材３３３と、固定孔３３４とを備え、それらは順番に結合される。固定孔３３４は凸部３２１に設けられ、ガイド溝３３１には、凸部３２１が差し込まれ、螺合部材３３３を介してガイド孔３３２と固定孔３３４は螺合される。
【０００９】
図４と図５を参照する。図４は、本考案のラックの係合部分を示した説明図であり、図５は、本考案のラックに貯留瓶を固定した状態を示した説明図である。ラックの係合部４は、支柱１の係合溝１１と係合させることができる。前記カップ台座３１には、台座溝３１１が設けられ、貯留瓶３４を掛けることができる。また、貯留瓶３４を固定しやすいように、プラケット３２は、ラックのプラケット３２および調整部３３によって、貯留瓶３４の大きさに応じて前後へ移動させることができ、それにより、貯留瓶３４の固定の安定性が増してゆれなくなる。
【００１０】
図６を参照する。図６は、本考案の脚台の係合と螺合部分を示した説明図である。脚台６の一端には結合部６１が設けられており、支柱と係合される。また、結合部６１には、固定部材６３が設けられており、脚台６と支柱を係合させた後、固定部材６３で螺合することにより、固定の安定性が増し、脚台６が緩んだり外れたりしなくなる。
【００１１】
図７を参照する。図７は、本考案の一部を示した拡大図である。トップカバー２は、少なくとも一つの係合片２１を備え、係合片２１を係合させることで、その安定性が増し、トップカバー２に設けられたエアバルブが緩んだり外れたりしなくなる。
【００１２】
最後に、図８を参照する。図８は、本考案の一実施形態を示した斜視図である。本考案の一実施形態は、支柱１と、少なくとも一つのラック３と、ストッパーと、少なくとも一つの脚台６とによって構成する。支柱１には少なくとも一つの係合溝が設けられ、支柱１の頂端にはトップカバー２が連結され、トップカバー２は、内蔵固定部材によって支柱１と螺合される。ラック３の一端には係合部が設けられ、支柱１と係合される。ラック３は、カップ台座と、プラケットと、調整部とを備える。前記カップ台座は台座溝を備え、貯留瓶３４を掛けることができる。前記調整部は、ガイド溝と、ガイド孔と、螺合部材と、固定孔とを備える。前記固定孔は、前記凸部に設けられ、前記ガイド溝には前記凸部が挿入され、前記螺合部材によって、前記ガイド孔と前記固定孔は螺合される。前記ストッパーは、支柱１に設けられ、前記ラック３を固定する。脚台６の一端には結合部が設けられ、支柱１と係合される。脚台の他端にはローラー６２が設けられる。前記ラックの係合部は、支柱１の係合溝と係合される。また、ラック３のプラケットと前記調整部によって、貯留瓶３４は安定して固定されてゆれなくなる。
【００１３】
本考案は、以下の利点を有する。
１、自由に組み立てと取り外しを行うことができ、収納に便利でスペースをとらない。
２、プラケットの調整部材により、貯留瓶を安定して固定させることができ、貯留瓶が揺れなくなる。
３、支柱を本体の構造として使用しているため、生産コストを削減することができる。
４、支柱を本体の構造として使用し、支柱の特性に従って係合部と結合部が考案されているため、産業上の利用性が向上する。
５、支柱を本体の構造として使用し、支柱の特性を利用して必要な数の貯留瓶を掛けることができるため、従来の負圧吸引装置の支持体よりも貯留瓶を多く掛けられる。
【符号の説明】
【００１４】
１      支柱
１１    係合溝
２      トップカバー
２１    係合片
２２    内蔵固定部材
３      ラック
３１    カップ台座
３１１  台座溝
３２    プラケット
３２１  凸部
３３    調整部
３３１  ガイド溝
３３２  ガイド孔
３３３  螺合部材
３３４  固定孔
３４    貯留瓶
４      係合部
５      ストッパー
６      脚台
６１    結合部
６２    ローラー
６３    固定部材
【図１】
0003167237.tif 000003
【図２】
0003167237.tif 000004
【図３】
0003167237.tif 000005
【図４】
0003167237.tif 000006
【図５】
0003167237.tif 000007
【図６】
0003167237.tif 000008
【図７】
0003167237.tif 000009
【図８】
0003167237.tif 000010